(57)【要約】【課題】  簡易な構成でありながら生花を美麗に飾ることができ、同時に生花を長持ちさせることができる水中花を得られる水中花の容器を提供する。【解決手段】 内部に水４０と生花３０を収容できる一部又は全部が透明体または半透明体の容器１０と、この容器１０の下端の開口部を閉塞する蓋体２０とからなり、上記容器１０上部を半円球状１０ａまたは円錐形状１２ａ等とし、周囲にカバー２３を設けた剣山２１を蓋体２０と一体に構成した。【選択図】図１
2005240201.tif 000002
【特許請求の範囲】
【請求項１】
内部に水と生花を収容できる透明体または半透明体の容器と、この容器の下端の開口部を閉塞する蓋体とからなる水中花の容器において、
上記蓋体の周縁部上端に容器の内側下部を隠すための遮蔽部を構成したことを特徴とする水中花の容器。
【請求項２】
内部に水と生花を収容できる透明体または半透明体の容器と、この容器の下端の開口部を閉塞する蓋体とからなる水中花の容器において、
上記容器の下部表面に模様等を施して容器の内側下部を隠すための遮蔽部を構成したことを特徴とする水中花の容器。
【請求項３】
内部に水と生花を収容できる透明体または半透明体の容器と、この容器の下端の開口部を閉塞する蓋体とからなる水中花の容器において、
上記生花を支持する剣山を蓋体と一体に構成したことを特徴とする水中花の容器。
【請求項４】
内部に水と生花を収容できる透明体または半透明体の容器と、この容器の下端の開口部を閉塞する蓋体とからなる水中花の容器において、
上記生花を支持する剣山の周囲に剣山を隠すためのカバーを構成したことを特徴とする水中花の容器。
【請求項５】
上記容器上部を円錐形状又は半円球状としたことを特徴とする請求項１から請求項４に記載の水中花の容器。
【発明の詳細な説明】
【技術分野】
【０００１】
本発明は、水を充填した容器内に生花を活ける水中花を作るために用いる容器に関するものである。
【背景技術】
【０００２】
従来より水中花に関する発明は提案されていた。例えば、特許文献１に記載の水中花は、切花全体に、シリコンオイルに浸透剤を混合してなる処理液を塗着し、この処理液を自然乾燥させた後、アルカリイオン水の入った透明容器内に入れて定置するものであった。
また、容器に関しては特許文献２に示された水中花用花留め具があった。
【特許文献１】特開平９−２７６５６４
【特許文献２】特開平１０−１５８９１６
【０００３】
上記特許文献１の発明によれば、切花に特殊な処理液を塗布しなくてはならないため手間や時間がかかるという問題点があり、またアルカリイオン水を備えなくてはならないため装置の準備が煩わしいという問題点もあった。
さらには特許文献２の花留め具も構成が複雑であり、かつ美観の点からも問題点が合った。
【発明の開示】
【発明が解決しようとする課題】
【０００４】
本発明は上記の点に鑑みなされたものであり、簡易な構成でありながら生花を美麗に飾ることができ、同時に生花を長持ちさせることができる水中花を得られる水中花の容器を提供するものである。
【課題を解決するための手段】
【０００５】
本発明の要旨とするところは、内部に水と生花を収容できる透明体または半透明体の容器と、この容器の下端の開口部を閉塞する蓋体とからなる水中花の容器において、上記蓋体の周縁部上端に容器の内側下部を隠すための遮蔽部を構成したことにある。
【０００６】
本発明の要旨とするところは、内部に水と生花を収容できる透明体または半透明体の容器と、この容器の下端の開口部を閉塞する蓋体とからなる水中花の容器において、上記容器の下部表面に模様等を施して容器の内側下部を隠すための遮蔽部を構成したことにある。
【０００７】
本発明の要旨とするところは、内部に水と生花を収容できる透明体または半透明体の容器と、この容器の下端の開口部を閉塞する蓋体とからなる水中花の容器において、上記生花を支持する剣山を蓋体と一体に構成したことにある。
【０００８】
本発明の要旨とするところは、内部に水と生花を収容できる透明体または半透明体の容器と、この容器の下端の開口部を閉塞する蓋体とからなる水中花の容器において、上記生花を支持する剣山の周囲に剣山を隠すためのカバーを構成したことにある。
【０００９】
本発明の要旨とするところは、上記容器上部を円錐形状又は半円球状としたことにある。
【発明の効果】
【００１０】
本発明は上記の如き構成であるため、簡易な構成でありながら生花を美麗に飾ることができ、同時に生花を長持ちさせることができる。
容器の下方に遮蔽部を設けた場合には、容器の内側下部の剣山等を外部から隠すこができ、より美麗な水中花が得られる。
剣山を蓋体と一体に構成した場合には、生花を蓋体に固定した状態で容器に入れることができるため、生花を活けた状態のまま水中で保存することができる。また、剣山の周囲にカバーを構成することで、美観を増し、花の倒伏を防ぐことができる。
容器上部を円錐形状又は半円球状とした場合には、容器内部の生花がより自然に見える等の効果を奏する。
【発明を実施するための最良の形態】
【００１１】
本発明を実施するための最良の形態は、内部に水と生花を収容できる透明体または半透明体の容器と、この容器の下端の開口部を閉塞する蓋体とからなり、上記容器上部を半円球状とし、周囲をカバーされた剣山を蓋体と一体に構成したものである。
【実施例１】
【００１２】
図１は実施例１の容器の中央縦断面図、図２は実施例２の蓋体を示す一部切欠断面図、図３は実施例２の蓋体の平面図、図４は実施例３の容器を示す一部切欠正面図、図５乃至図７は容器の他例である
である。
【００１３】
実施例１の水中花の容器の構成を図に基づいて説明する。
図１において、符号１０は容器であり、この容器１０は透明体または半透明体の材質によって構成されている。本明細書中、透明体または半透明体の容器とは、容器１０の一部が透明体または半透明体の材質によって構成されているものと、容器１０の全部が透明体または半透明体の材質によって構成されているものを指す。
この容器１０の内部に水４０が充填されている。下部には蓋体２０を取り付けて水４０の漏洩を防いでいる。
【００１４】
上記容器１０は、上部を半円球状１０ａとしている。これは容器１０の表面を滑らかにして、内部の生花３０をより自然な状態で見やすくするためであるが、この形状に限らず後述のように多様な形状を選択できる。
【００１５】
上記蓋体２０は内側にネジ部２２を形成して、容器１０の下部に螺合して取り付けられている。このネジ部２２は必ず必要な構成ではなく、このネジ部２２を形成せずに蓋体２０の内側を平滑な表面としても良い。
さらには、蓋体２０を一枚の板として、容器下端を密閉するだけで内部の水４０の漏洩を防ぐことができる。
【００１６】
上記蓋体２０の中央には剣山２１が固定されている。この剣山２１は生花３０を固定するためのものであるが、本実施例のように蓋体２０と一体に構成したほうが生花３０が安定するが、このほかに別体に作成して蓋体２０の上に置いて使用してもよい。
剣山の周囲にカバー２３を構成することで生花の足元を隠して、より美しく装飾すると共に花の倒伏を防ぐ効果がある。本実施例ではカバー２３も蓋体２０と一体に構成したが、このほかに別体に作成して蓋体２０の上に置いて使用してもよい。
【００１７】
上記容器１０内に充填した水４０は薬品類を含まない水であり、すべての水を使用できるが、水道水より井戸水などの自然水の方が生花３０が長持ちするため好ましい。
【００１８】
上記のように構成した容器１０を用いて水中花を作成するには、まず容器１０を逆さまにして内部に水４０を充填する。一方、蓋体２０の剣山２１に生花３０を活けてから、この生花３０を逆さまにして容器１０の中に開口部から入れて蓋体２０を容器１０の下部に螺合し、容器１０をひっくり返せばよい。
【００１９】
このようにして生花３０は水４０が充填した容器１０内に保存され、外気に触れることがなくなるため、長期間に亘り自然な状態を保てるのである。実験例では、全く水を取り替えないで２週間以上も初期と同じ状態の美麗さを保っていた。生花の種類によって多少異なるが、冬季では水を取り替えることにより約１ケ月前後の間自然な状態を保っていた。
【００２０】
このように、本実施例では容易に生花の水中花を作成することができ、容器の形状から生花を美麗に飾ることができ、同時に生花を長持ちさせることができる。
【実施例２】
【００２１】
図２は実施例２の蓋体を示す一部切欠断面図、図３は実施例２の蓋体の平面図である。
本実施例では、蓋体２０の周縁部２５の上端部を高くして遮蔽部２５ａを構成した。また、剣山の周囲にカバー２３を構成することにより容器１０の内側下部の剣山２１や生花の下部足元を外部から隠すこができ、より美麗な水中花が得られる。
【実施例３】
【００２２】
実施例３は図４に示すもので、容器１９下部に模様を付して遮蔽部１９ａを構成した。これによって、容器１９の内側下部の剣山２１や生花の下部を外部から隠すこができ、より美麗な水中花が得られる。
また、遮蔽部１９ａには模様だけでなく絵画や文字等の各種デザインを書くこともでき、あるいはすりガラスを形成しても良い。
【００２３】
図５乃至図７は容器１０の他例であり、図５の容器１１は全体が半円球状１１ａのもの、図６の容器１２は上部が円錐形状１２ａのもの及び図７の容器１３は頂部１３ａが水平に構成されたものである。これらの例のいずれも上記の容器１０と同様の効果を奏するものである。
【図面の簡単な説明】
【００２４】
【図１】実施例１の容器の中央縦断面図
【図２】実施例２の蓋体を示す一部切欠断面図
【図３】実施例２の蓋体の平面図
【図４】実施例３の容器を示す一部切欠正面図
【図５】容器の他例
【図６】容器の他例
【図７】容器の他例
【符号の説明】
【００２５】
１０  容器
１１  容器
１２  容器
１３  容器
１９  容器
１９ａ  遮蔽部
２０  蓋体
２１  剣山
２２  ネジ部
２３  カバー
２５  周縁部
２５ａ  遮蔽部
３０  生花
４０  水
【図１】
2005240201.tif 000003
【図２】
2005240201.tif 000004
【図３】
2005240201.tif 000005
【図４】
2005240201.tif 000006
【図５】
2005240201.tif 000007
【図６】
2005240201.tif 000008
【図７】
2005240201.tif 000009